(57)【要約】【目的】周囲の状況に応じて、自端末の位置の通知方法を容易に変更することができる無線端末装置。【構成】本発明は、災害等に遭遇した人の位置を、周囲の人あるいはネットワーク上から捜索の通知を受けて捜索しに来た人に、無線端末の機能を用いて通知する手段に関し、周辺の音や明るさを無線端末自身が判断し、音または、発光素子もしくは閃光装置の発光などから最適な方法で通知することで場所の特定を容易にすることにある。つまり、緊急を知らせるボタン入力部と、前記ボタン入力部の誤操作を解除することのできる誤動作解除部と、前記ボタン入力部の操作によって前記無線端末装置の位置特定を可能にするための信号を発する信号発生部と、を持つことを特徴とする無線端末装置。【選択図】図１
2011118537.tif 000002
【特許請求の範囲】
【請求項１】
ネットワークと通信する無線端末装置であって、
緊急を知らせるボタン入力部と、
前記ボタン入力部の誤操作を解除することのできる誤動作解除部と、
前記ボタン入力部の操作によって前記無線端末装置の位置特定を可能にするための信号を発する信号発生部と、
を持つことを特徴とする無線端末装置。
【請求項２】
前記無線端末装置は、
前記ボタン入力部の操作内容をネットワーク側へ送信し、
あるいは、ネットワーク側から前記ボタン入力部の操作を行うための信号を受信する機能を有する無線送受信部を備える事を特徴とする、請求項１に記載の無線端末装置。
【請求項３】
前記無線送受信部は、
該無線端末装置が有するＧＰＳ測位装置によって測位された位置情報と、
前記ボタン入力部の操作を、
併せて前記無線送受信部よりネットワーク側へ送信することを特徴とする、
請求項２に記載の無線端末装置。
【請求項４】
前記信号発生部は、
音の大きさを測定する音検出部と、
自端末の存在を音で知らせるスピーカ部と、
から成ることを特徴とする請求項１乃至３記載の無線端末装置。
【請求項５】
前記信号発生部は、
光のレベルを測定する光検出部と、
自端末の存在を光で知らせる閃光部と、
から成ることを特徴とする請求項１乃至３記載の無線端末装置。
【発明の詳細な説明】
【技術分野】
【０００１】
本発明は、災害等に遭遇した人の位置を、周囲の人あるいはネットワーク上から捜索の通知を受けて捜索しに来た人に、無線端末の機能を用いて通知する手段に関するものである。
【背景技術】
【０００２】
従来は、怪我や災害に巻き込まれたとき、また倒壊したものの下敷きになり動くことができなくなり、他者に現在位置を知らせる必要が生じた場合には、無線端末のＧＰＳ機能を用いて、自局の位置を通信ネットワークの他者に通知するか、音声通話で現在の場所を伝えていた。
【０００３】
しかるに前記手段では、ＧＰＳの誤差によって、短時間で正確に位置の特定をするのは困難であった。
【０００４】
また、災害等に遭遇した無線端末所持者の位置を特定するために、通信ネットワーク上の他者が、該ネットワークから前記無線端末を遠隔操作して、音や光を発せしめる事によって、端末の存在を周囲へ通知する技術が提案されている（特許文献１参照）。
【先行技術文献】
【特許文献】
【０００５】
【特許文献１】特開２００６−１９７４３９号公報
【発明の概要】
【発明が解決しようとする課題】
【０００６】
しかしながら、上述した従来例においては次のような問題があった。
【０００７】
つまり、ネットワーク側から無線端末を操作した場合は、無線端末の状況が分からないため、該操作が適切ではない場合が考えられる。例えば、建設現場や工事現場などの音が大きい場所では、容易に音による位置を特定できないし、また、明るい場所では発光素子、もしくは閃光装置の発光によっても周囲から光の認識が出来ないため、位置を特定することが難しい。
【０００８】
このように、状況に適さない手段を用いた場合、位置の特定に時間がかかるため、端末の電池の残量が無くなり、結果として捜索が失敗することも考えられる。
【０００９】
本発明の目的は、無線端末の緊急ボタンが押されたときに、周辺の音や明るさを無線端末自身が判断し、音または、発光素子もしくは閃光装置の発光などから最適な方法で通知することで場所の特定を容易にすることにある。
【課題を解決するための手段】
【００１０】
上記目的を達成するために、無線端末の緊急ボタンが押されたら、無線端末周辺の音や明るさの状況を各センサーによって確認する。
【００１１】
また、ネットワークに接続している無線端末の場合は、ネットワーク側から緊急ボタンを押したときと同じ動作ができる。
【００１２】
無線端末は、緊急ボタンが押されてから決められた秒数以内に所定のボタンを押すことで、自端末周辺の音や明るさを端末自身で判断し、音や発光素子、もしくは閃光装置の発光などから最適な方法で通知することで場所の特定を容易にする。
【発明の効果】
【００１３】
本発明では、音を感知するセンサーで周囲の音を判断し、音の大きい場所では音を鳴らさないようにし、また、明るさを感知するセンサーで周囲の明るさを判断し、明るい場所では発光素子、あるいは閃光装置を発光しないようにすることによって、状況に適した位置特定手段を用いることが可能になり、電池の消耗を抑えることができるようになった。
【００１４】
そのうえ、遭難した無線端末が発している音色や発光素子の点灯や点滅の種類や色を、また閃光素子の場合は発光間隔などを、通信ネットワークを利用して該ネットワーク上の他者に通知することによって、捜索している無線端末の特定が容易になった。
【図面の簡単な説明】
【００１５】
【図１】本発明の実施形態における無線機の概略を示す図である。
【図２】緊急ボタンが押された場合のフローチャート図である。
【図３】緊急ボタンが誤って押された場合に解除するフローチャート図である。
【図４】音を検知するフローチャート図である。
【図５】光を検知するフローチャート図である。
【図６】ネットワークへ緊急状態であることを通知するシーケンス図である。
【図７】ネットワークへ緊急状態が解除されたことを通知するシーケンス図である。
【図８】ネットワークへ音を発していることを通知するシーケンス図である。
【図９】ネットワークへ光を発していることを通知するシーケンス図である。
【図１０】応答のない無線端末をネットワークから緊急状態へ移行させるフローチャート図である。
【発明を実施するための形態】
【実施例１】
【００１６】
図１に示すように本発明の構成は、無線端末２１に、緊急ボタン２３、送信ボタン２５、電源ボタン２７、スピーカ２９を備えて構成しており、ハンドマイク３１を取り付けることもできる。ハンドマイク３１にはハンドマイク用送信ボタン３５、ハンディ用スピーカ３９を持つ。
【００１７】
図２に緊急ボタンが押されたときのシーケンスについて説明する。緊急ボタンが押されたことを確認する（Ｓ２０１）。緊急ボタンが押されたら、３秒以内に送信ボタンが押されたことを確認する（Ｓ２０２）。緊急ボタンが押されてから３秒以内に送信ボタンが押されたら、音と光のセンサーを動作させる（Ｓ２０３）。Ｓ２０１で緊急ボタンが押されない場合と、Ｓ２０２で３秒以内に送信ボタンが押されない場合は、Ｓ２０１へ戻る。
【００１８】
なお、緊急ボタンが押されたら、３秒以内に送信ボタンを押すとしたが、送信ボタンは任意のボタンに変更できる機能を持ち、３秒以内に送信ボタンを押すその秒数も変更できる。
【００１９】
図３に誤って緊急ボタンが押されたときのシーケンスについて説明する。緊急ボタンが押されたことを確認する（Ｓ３０１）。緊急ボタンが押されたら、３秒以内に電源ボタンが押されたことを確認する（Ｓ３０２）。３秒以内に電源ボタンが押されたら、音と光のセンサーの動作を停止させる（Ｓ３０３）。スピーカと発光素子の動作を停止する（Ｓ３０４）。Ｓ３０１で緊急ボタンが押されない場合と、Ｓ３０２で３秒以内に電源ボタンが押されない場合は、Ｓ３０１へ戻る。
【００２０】
なお、緊急ボタンが押されたら、３秒以内に電源ボタンを押すとしたが、電源ボタンは任意のボタンに変更できる機能を持ち、３秒以内に電源ボタンを押すその秒数も変更できる。
【００２１】
図４に音センサーを動作させるシーケンスについて説明する。音センサーで音量を測定する（Ｓ４０１）。音量が８０ｄＢを超えているか確認する（Ｓ４０２）。音量が８０ｄＢを超えていた場合は、スピーカから音を出さない（Ｓ４０３）。音量が８０ｄＢを超えていない場合はＳ４０１へ戻る。
【００２２】
なお、音のレベルが８０ｄＢ以上のときにスピーカを鳴らさないとしたが、この数字に限定されるものではない。
【００２３】
図５に光センサーを動作させるシーケンスについて説明する。光センサーで光量を測定する（Ｓ５０１）。光量が６００ルクスを超えているか確認する（Ｓ５０２）。光量が６００ルクスを超えている場合は、光量が２０，０００ルクス以下であることを確認する（Ｓ５０３）。光量が２０，０００ルクス以下であれば閃光装置を発光させる（Ｓ５０４）。光量が６００ルクスを超えていない場合はバックライトなどの発光素子を発光させる（Ｓ５０５）。光量が２０、０００ルクスを超える場合は、Ｓ５０１へ戻る。
【００２４】
なお、光のレベルが６００ルクス以下でバックライトなどの発光素子、２０，０００ルクス以下で閃光装置の発光としたが、この数字に限定されるものではなく、発光素子と閃光装置の発光の選択は自由に設定できるものとする。
【００２５】
図６に緊急状態をネットワークへ通知する方法を示す。緊急ボタンを押してから３秒以内に送信ボタンを押した無線端末は、ネットワークへ緊急状態に陥ったことを通知する（Ｓ６０１）。ネットワークは、無線端末が緊急状態になったことを確認したことを無線端末へ通知する（Ｓ６０２）。ネットワークから他の無線端末へ緊急状態の端末があることを通知する（Ｓ６０３）。
【００２６】
図７に緊急状態を解除したことをネットワークへ通知する方法を示す。緊急ボタンを押してから３秒以内に電源ボタンを押した無線端末は、ネットワークへ緊急状態が解除されたことを通知する（Ｓ７０１）。ネットワークは、無線端末が緊急状態から解除されたことを確認したことを無線端末へ通知する（Ｓ７０２）。ネットワークから他の無線端末へ緊急状態が解除されたことを通知する（Ｓ７０３）。
【００２７】
なお、緊急ボタンが押されてから３秒以内に電源ボタンを押すとしたが、電源ボタンは任意のボタンに変更できる機能を持ち、３秒以内に電源ボタンを押すその秒数も変更できる。
【００２８】
図８に音を発していることをネットワークへ通知する方法を示す。緊急状態の無線端末からネットワークへ、音を発していることが通知される（Ｓ８０１）。音を発していることを確認したネットワークはその音色を緊急状態の無線端末へ確認する（Ｓ８０２）。緊急状態の無線端末はネットワークへ音色を通知する（Ｓ８０３）。音色を通知されたネットワークは、緊急状態の無線端末が発している音色を捜しに来ている無線端末へ通知する（Ｓ８０４）。
【００２９】
図９に光を発していることをネットワークへ通知する方法を示す。緊急状態の無線端末から光を発していることが通知される（Ｓ９０１）。光を発していることを確認したネットワークはその光が発光素子であるか、閃光装置であるかを確認するために種類と発光間隔や色の状態を緊急状態の無線端末へ確認する（Ｓ９０２）。緊急状態の無線端末は発光の種類と状態をネットワークへ通知する（Ｓ９０３）。光の種類を通知されたネットワークは、緊急状態の無線端末が発している光の種類と状態を捜しに来ている無線端末へ通知する（Ｓ９０４）。
【００３０】
図１０にネットワークからの緊急状態への起動方法を示す。無線端末のメモリ内に緊急用カウンタをあらかじめ用意しておく。カウンタを０にする（Ｓ１００１）。ネットワークから無線端末にあらかじめ決められた動作をするように要求信号を求める（Ｓ１００２）。応答操作に応じたかを確認する（Ｓ１００３）。応答操作に応じない場合は、カウンタに１を足す（Ｓ１００４）。カウンタが４より大きいかを確認する（Ｓ１００５）。カウンタが４より小さい場合は、Ｓ１００２へ戻る。カウンタが４より大きい場合は、音センサーと光センサーの動作を開始する（Ｓ１００６）。
【００３１】
なお、カウンタを４より大きいかどうかとしたが、回数は任意の回数に変更できるものとする。
【００３２】
なお、音のレベルの測定と光のレベルの測定は、順番に行われることもあるが、同時に行われることもあるため、測定の順番は限定しない。
【００３３】
なお、ＧＰＳと組み合わせることで、より短時間に正確な場所を特定できる。
【符号の説明】
【００３４】
２１  無線端末
２３  緊急ボタン
２５  送信ボタン
２７  電源ボタン
２９  スピーカ
３１  ハンディマイク
３５  ハンディマイク用送信ボタン
３９  ハンディマイク用スピーカ
【図１】
2011118537.tif 000003
【図２】
2011118537.tif 000004
【図３】
2011118537.tif 000005
【図４】
2011118537.tif 000006
【図５】
2011118537.tif 000007
【図６】
2011118537.tif 000008
【図７】
2011118537.tif 000009
【図８】
2011118537.tif 000010
【図９】
2011118537.tif 000011
【図１０】
2011118537.tif 000012